(57)【要約】【課題】異なる波長のレーザ光が使用され、このレーザ光の光記録媒体からの戻り光をそれぞれ受光する一つの受光素子が設けられた光ヘッド装置の光軸調整を一台で行うことができる光軸調整装置を提供すること。  【解決手段】異なる波長のレーザ光を出射するＣＤ用レーザ光源５２１およびＤＶＤ用レーザ光源５２２と、この二つの光源に対応した光記録媒体からの戻り光を受光する一つの受光素子７０とを備えた光ヘッド装置５０の光軸調整装置であって、ＣＤ用レーザ光あるいはＤＶＤ用レーザ光のうち、いずれか一方のレーザ光に対応した疑似ディスクＤｆのみが搭載されており、その搭載された疑似ディスクＤｆに非対応のレーザ光が照射されたときの光軸ずれ量（非対応状態の光軸ずれ量）を、対応した疑似ディスクに照射されたときの光軸ずれ量（実際の光軸ずれ量）に変換するための補正手段を備えた光軸調整装置１とした。  【選択図】図５
2008293624.tif 000002
【特許請求の範囲】
【請求項１】
異なる波長のレーザ光を出射する二つの光源と、該二つの光源から出射される出射光の光記録媒体からの戻り光をそれぞれ受光するための二つの受光部が形成された受光面を有する受光素子と、前記出射光および戻り光の光路を形成する光学系とを有する光ヘッド装置の光軸を調整するための光軸調整装置において、
前記二つの異なる波長のレーザ光によりそれぞれ再生される二種の光記録媒体のうちいずれか一方の光記録媒体と、該一方の光記録媒体を再生するための一方のレーザ光とは異なる他方のレーザ光を出射した場合における、該一方の光記録媒体に対する前記受光面での光軸ずれの大きさを、前記他方の光記録媒体に対する前記受光面での光軸ずれの大きさに変換するための補正手段とが設けられていることを特徴とする光軸調整装置。
【請求項２】
請求項１において、前記補正手段は、前記一方の光記録媒体に前記他方のレーザ光を出射した場合における前記受光面での光軸ずれの大きさと、前記他方の光記録媒体に前記他方のレーザ光を出射した場合の光軸ずれの大きさとの差異分が保存されているメモリテーブルを有していることを特徴とする光軸調整装置。
【請求項３】
請求項１または２のいずれかにおいて、前記補正手段は、前記受光面上の前記戻り光の位置を把握可能なモニタと、算出された前記一方の光記録媒体に前記他方のレーザ光を出射した場合における前記受光面での光軸ずれの大きさと前記一方の光記録媒体に前記一方のレーザ光を出射した場合の光軸ずれの大きさとの相関関係に基づいて、前記受光面における前記他方のレーザ光の光軸設定の目標位置を前記モニタ上に表示させる目標位置設定手段とを有していることを特徴とする光軸調整装置。
【請求項４】
請求項１ないし３のいずれかにおいて、前記二種の光記録媒体がＣＤおよびＤＶＤであることを特徴とする光軸調整装置。
【発明の詳細な説明】
【技術分野】
【０００１】
本発明は、光軸調整装置に関し、更に詳しくは、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等の光記録媒体の記録・再生を行う光ヘッド装置の光軸調整に好適に使用される光軸調整装置に関するものである。
【背景技術】
【０００２】
従来より、光記録媒体の記録・再生を行う光ヘッド装置の組み立て工程では、光源から出射されるレーザ光の光軸調整が行われることが知られている（例えば、特許文献１参照。）。一般的に、ＣＤおよびＤＶＤ用レーザ光を出射する二つの光源と、この両光源に対応したディスクからの戻り光を受光する二つの受光部を持った一つの受光素子を備えた光ヘッド装置の光軸調整では、ＣＤを搭載したＣＤ用光軸調整装置と、ＤＶＤを搭載したＤＶＤ用光軸調整装置の二つの光軸調整装置が用いられる。
【０００３】
具体的には、まず光ヘッド装置をＣＤ用光軸調整装置に装着し、ＣＤ用レーザ光の光軸調整を行った後、光ヘッド装置をＤＶＤ用光軸調整装置に載せかえてＤＶＤ用レーザ光の光軸調整を行い、再度光ヘッド装置をＣＤ用光軸調整装置に載せかえて、ＣＤ用レーザ光の光軸ずれがないかを確認するという光軸調整が行われる。
【０００４】
【特許文献１】特開２００６−３０２４１５号公報
【発明の開示】
【発明が解決しようとする課題】
【０００５】
しかし、このようなＣＤ用光軸調整装置と、ＤＶＤ用光軸調整装置を使用する光軸調整には以下のような問題点があった。
【０００６】
すなわち、上記光軸調整においては、一つの光ヘッド装置に対して、二つの光軸調整装置が必要となり、光ヘッド装置を一方の光軸調整装置から他方の光軸調整装置へ載せかえる必要があるため、光ヘッド装置の組み立て作業が繁雑になってしまうという問題があった。
【０００７】
また、一方の光軸調整装置から他方の光軸調整装置へ載せかえる際の装着誤差により、一度調整した一方のレーザ光の光軸が他方の光軸調整装置に載せかえる際に再びずれてしまうという問題があった。  
【０００８】
本発明が解決しようとする課題は、異なる波長のレーザ光が使用され、このレーザ光の光記録媒体からの戻り光をそれぞれ受光する一つの受光素子が設けられた光ヘッド装置の光軸調整を一台で行うことができる光軸調整装置を提供することにある。
【課題を解決するための手段】
【０００９】
上記課題を解決するために本発明に係る光軸調整装置は、異なる波長のレーザ光を出射する二つの光源と、該二つの光源から出射される出射光の光記録媒体からの戻り光をそれぞれ受光するための二つの受光部が形成された受光面を有する受光素子と、前記出射光および戻り光の光路を形成する光学系とを有する光ヘッド装置の光軸を調整するための光軸調整装置において、前記二つの異なる波長のレーザ光によりそれぞれ再生される二種の光記録媒体のうちいずれか一方の光記録媒体と、該一方の光記録媒体を再生するための一方のレーザ光とは異なる他方のレーザ光を出射した場合における、該一方の光記録媒体に対する前記受光面での光軸ずれの大きさを、前記他方の光記録媒体に対する前記受光面での光軸ずれの大きさに変換するための補正手段とが設けられていることを要旨とするものである。
【００１０】
このように、本発明に係る光軸調整装置には、二つの異なる波長のレーザ光により再生される二種の記録媒体のうち、いずれか一方のレーザ光に対応した光記録媒体が搭載されていないが、そのレーザ光を他方（非対応）の光記録媒体に照射したときの光軸ずれ量を、対応した光記録媒体に照射したときの光軸ずれ量に変換するための補正手段が設けられている。そのため、二種のレーザ光源の光軸調整をいずれか一方の光記録媒体が搭載された一台の光軸調整装置で行うことができる。ここで、従来の光軸調整においては、二つの異なる波長のレーザ光に対して、それぞれ二つの光軸調整装置が用いられていた。本発明の発明者は、一台の光軸調整装置での光軸調整を実現するため、鋭意研究を行い、その結果、一方の光記録媒体を再生するための一方のレーザ光とは異なる他方のレーザ光を出射した場合における、一方の光記録媒体における受光面での光軸ずれの大きさと、他方の光記録媒体に対する前記受光面での光軸ずれの大きさとに相関関係があることを突き止めた。
【００１１】
また、請求項２に記載のように、前記補正手段は、前記一方の光記録媒体に前記他方のレーザ光を出射した場合における前記受光面での光軸ずれの大きさと、前記他方の光記録媒体に前記他方のレーザ光を出射した場合の光軸ずれの大きさとの差異分が保存されているメモリテーブルを有していればさらに好適である。これにより、レーザ光と光記録媒体が非対応状態での光軸ずれ量を、対応した光記録媒体に照射したときの光軸ずれ量に簡単に変換することができる。
【００１２】
また、請求項３に記載のように、前記補正手段は、前記受光面上の前記戻り光の位置を把握可能なモニタと、算出された前記一方の光記録媒体に前記他方のレーザ光を出射した場合における前記受光面での光軸ずれの大きさと前記一方の光記録媒体に前記一方のレーザ光を出射した場合の光軸ずれの大きさとの相関関係に基づいて、前記受光面における前記他方のレーザ光の光軸設定の目標位置を前記モニタ上に表示させる目標位置設定手段とを有していれば、レーザ光と光記録媒体が非対応状態での光軸ずれ量を、対応した光記録媒体に照射したときの光軸ずれ量に迅速に変換することができる。
【００１３】
また、請求項４に記載のように、前記二種の光記録媒体がＣＤおよびＤＶＤであればよい。これにより、ＣＤおよびＤＶＤの再生や記録に対応した光ヘッド装置の光軸調整を迅速かつ正確に行うことができる。
【発明の効果】
【００１４】
本発明に係る光軸調整装置によれば、二つの異なる波長のレーザ光により再生される二種の記録媒体のうち、いずれか一方のレーザ光に対応した光記録媒体が搭載されていないが、そのレーザ光を他方（非対応）の光記録媒体に照射したときの光軸ずれ量を、対応した光記録媒体に照射したときの光軸ずれ量に変換するための補正手段が設けられているため、二種のレーザ光源の光軸調整を一台の光軸調整装置で行うことができ、光軸調整作業が迅速になる。さらに、複数の光軸調整装置を使用した場合のように、一方の光軸調整装置から他方の光軸調整装置に載せかえる際の装着誤差が発生することがないため、光ヘッド装置の高品質化に大きく寄与する。
【発明を実施するための最良の形態】
【００１５】
以下に本発明の実施の形態について図面を参照しつつ詳細に説明する。
【００１６】
図１は、本発明の第一の実施形態に係る光ヘッド装置の光軸調整装置１の機械的な構造を説明するための概略図である。この光軸調整装置１は、ＣＤおよびＤＶＤの再生・記録に対応した（いわゆるＣＤ／ＤＶＤデュアルライタードライブ）光ヘッド装置５０の光軸調整を行うための装置である。
【００１７】
光軸調整装置１は、基台５に、回転部１０、取付位置調整部２０が取り付けられて構成されている。
【００１８】
回転部１０は、基台５上を回転可能に設けられた回転台１２と、この回転台１２に立設された支軸１４と、この支軸１４の側面から突出して設けられたフレーム取付軸１６ａ，１６ｂと、ディスク載置部３０とから構成されている。回転台１２は、図示されないモータ等を駆動源として、基台１２上で軸Ｘを中心として回転するよう固定されている。また、支軸１４から突出した一方のフレーム取付軸１６ａには、ネジ部１６１およびストッパ部１６２が形成されている。回転台１２に固定されているディスク載置部３０は、光軸調整のためのディスクＤｆが載置される部材である。なお、この光軸調整装置１には、実際に使用されるＣＤに代えて、ＣＤ用疑似ディスクを使用する。このような光軸調整装置１においては、実際のディスクはその径が大きすぎるため、光軸調整に際して障害になってしまうからである。したがって、この疑似ディスクは、出力光を反射することができる最小の大きさに形成されている。
【００１９】
取付位置調整部２０は、支軸２２に受光素子保持部２４が取り付けられて構成されている。この受光素子保持部２４は、主軸２４１が直角に屈曲し、その先端付近に挾持部材２４２が取り付けられて構成されている。この挾持部材２４２は、主軸２４１とネジ部材２４３により連結されており、このネジ部材２４３を回転させることにより、主軸２４１と挾持部材２４２の幅Ｄが調節可能に構成されている。また、受光素子保持部２４は、支軸２２上を図中のＸ、Ｙ軸方向に移動可能に取り付けられている。
【００２０】
次に、このように構成される光軸調整装置１により光軸調整される光ヘッド装置５０について、図２および３を参照して説明する。図２は、光ヘッド装置５０の光学系の一例を模式的に示した概略構成図であり、図３は、この光ヘッド装置５０の外観斜視図である。また、図４は、この光ヘッド装置１に搭載された受光素子７０の外観斜視図である。
【００２１】
図２に示されるように、光ヘッド装置５０は、レーザ光源５２と、このレーザ光源５２から出射された出射光Ｌ（ＣＤ用の出射光をＬ１、ＤＶＤ用の出射光をＬ２とする。）を対物レンズ６０などを介して光記録ディスクＤに向かい集束させる往路、および前記光記録ディスクＤで反射した戻り光ＬＲ（ＣＤによる戻り光をＬＲ１、ＤＶＤによる戻り光をＬＲ２とする。）が受光素子７０に向かう復路を構成する光学系Ｋと、戻り光ＬＲを受光する信号検出用の受光素子７０とを備える。これらの構成部品がフレーム８０に固定されて、光ヘッド装置５０が構成される。
【００２２】
光源であるレーザ光源５２は、ＣＤ用レーザ光源５２１とＤＶＤ用レーザ光源５２２とからなる。ＣＤ用レーザ光源５２１からは、ＣＤに対応した赤色光域（約６５０ｎｍの帯域）の出射光Ｌ１が出射され、ＤＶＤ用レーザ光源５２２からは、ＤＶＤに対応した近赤外光域（約７８０ｎｍの帯域）の出射光Ｌ２が出射される。
【００２３】
光学系Ｋは、互いに直交する座標軸をＸ軸、Ｙ軸、Ｚ軸（図１中に矢印Ｘ、Ｙ、Ｚで示す）としたときに、レーザ光源５２からＹ軸方向に出射された出射光ＬをＸ軸方向に反射する光路分離素子としてのハーフミラー５４と、ハーフミラー５４からの出射光Ｌを平行光にするコリメートレンズ５６と、この平行光をＺ軸方向に立ち上げる全反射ミラー５８と、平行光を光記録ディスクＤの記録面に集束させる対物レンズ６０等から構成されている。そして、出射光Ｌは、光記録ディスクＤの記録面で反射された後、戻り光ＬＲとして光路を逆に辿り、ハーフミラー５４を透過して受光素子７０に受光される。
【００２４】
受光素子７０は、ＣＤあるいはＤＶＤの音声、映像信号等を得るため、戻り光ＬＲの受光量を算出するための素子である。図４に示されるように、戻り光ＬＲを受光する受光面７２には、ＣＤからの戻り光ＬＲ１を受光するＣＤ用受光部７２１、ＤＶＤからの戻り光ＬＲ２を受光するＤＶＤ用受光部７２２が形成されている。また、受光素子７０の側面からは突出して端子部７４が形成されている。
【００２５】
図３に示されるように、レーザ光源５２、光学系Ｋを構成する光学素子、および受光素子７０は、樹脂の一体成形品であるフレーム８０に固定されている。フレーム８０には、図示されない光記録ディスクＤを駆動する駆動装置のガイド軸が挿通される第一の軸受部８０１、および第二の軸受部８０２が形成されている。
【００２６】
ＣＤ用レーザ光源５２１およびＤＶＤ用レーザ光源５２２は、その接続端子部５２１ａ，５２２ａを外側に向けてフレーム８０の側面にそれぞれ固定されている。対物レンズ６０は、フレーム８０のほぼ中央の枠状開口部８２に配設されたレンズ駆動部８１に固定されている。また、全反射ミラー５８は、対物レンズ６０の真下に固定されている。このレンズ駆動部８１を覆う第一の天板８４には、対物レンズ６０を露出させるための開口８４１が形成され、出射光Ｌはこの開口８４１を通って光記録ディスクＤに到達する。
【００２７】
一方、受光素子７０は、受光素子用基板７２に実装されて、この受光素子用基板７２を外側に向けてフレーム８０に取り付けられている。ここで、受光素子７０は、その取付位置の調整後（光軸調整後）、最終的には接着剤等により固定されるが、取付位置の調整前には、フレーム８０を覆う第二の天板８６から突出した屈曲片８６１により、フレーム８０に押圧されて仮固定される。また、ハーフミラー５４およびコリメートレンズ５６は、この第二の天板８６に覆われて、光軸上に取り付けられている。
【００２８】
このように構成される光ヘッド装置５０の光軸調整を行うための光軸調整装置１には、前述したようにＣＤ用疑似ディスクが搭載される。そして、この光軸調整装置１のみで、ＣＤおよびＤＶＤの光軸調整を可能とするため、本実施形態に係る光軸調整装置１には、補正手段としてのメモリテーブルおよび信号増幅手段が備えられている。
【００２９】
メモリテーブルには、ＣＤ用疑似ディスクにＤＶＤ用レーザ光を照射した場合の受光面７２における戻り光ＬＲ２の光軸ずれ量（以下、非対応状態の光軸ずれ量という。）と、ＤＶＤ用疑似ディスクにＤＶＤ用レーザ光を照射した場合の光軸ずれ量（以下、実際の光軸ずれ量という。）との相関関係のデータが格納されている。なお、この保存された相関関係のデータは、使用する光源および疑似ディスクによって異なるため、光軸調整される光ヘッド装置５０について予め算出されている。
【００３０】
また、信号増幅手段は、得られた非対応状態の光軸ずれ量を、メモリテーブルに保存されている相関関係のデータに基づいて、ＣＤ用レーザ光の実際の光軸ずれ量に増幅（変換）し、その値を信号として出力するものである。
【００３１】
この光軸調整装置１を用いた光ヘッド装置５０の光軸調整方法について、図５のフローチャートに沿って説明する。
【００３２】
まず、光ヘッド装置５０は、図１に示されるように、第一の軸受部８０１および第二の軸受部８０２を利用してＣＤ用光軸調整装置に固定される（Ｓ１）。具体的には、フレーム取付軸１６ａおよび１６ｂに、第一の軸受部８０１および第二の軸受部８０２がフレーム取付軸１６ａのストッパ部１６２に当接する位置までそれぞれ挿通される。そして、フレーム取付軸１６ａのネジ部１６１にナットＮ等を螺号させることにより、光ヘッド装置５０が所定の位置に固定される。
【００３３】
そして、受光素子保持部２４の主軸２４１と挾持部材２４２の幅寸法Ｄを調節することで、受光素子７０が受光素子保持部２４により保持される。これにより、光ヘッド装置５０のＣＤ用光軸調整装置への取付が完了する。
【００３４】
光ヘッド装置５０の取付完了後、ＣＤ用レーザ光源５２１からＣＤ用のレーザ光を出力（Ｓ２）する。そして、受光面７２におけるＣＤ用疑似ディスクからの戻り光ＬＲ１のスポット位置を読みながら、受光素子保持部２４を駆動させることにより、受光素子７０をＸ軸およびＹ軸方向に動かし、その取付位置調整（光軸調整）を行う。具体的には、受光面７２上の戻り光ＬＲ１のスポット位置のずれ量（後述するＰｘ（％）、Ｐｙ（％）で表される光軸ずれ量）が映し出される補正手段としてのモニタ（図示されない）を参照し、図６に示されるように、受光素子７０の受光面７２における戻り光ＬＲ１のスポット位置ＳＰ１が、ＣＤ用受光部７２１の中心と一致するように位置調整する（Ｓ３）。位置調整完了後、ＣＤ用レーザ光を消灯する（Ｓ４）。
【００３５】
この後、ＣＤ用疑似ディスクを搭載したままＤＶＤ用レーザ光を出力（Ｓ５）することにより、受光面７２にＣＤ用疑似ディスクからの戻り光ＬＲ２のスポットが形成される。この時、モニタには、受光面７２上の戻り光ＬＲ２のスポット位置のずれ量（後述するＰｘ（％）、Ｐｙ（％）で表される光軸ずれ量）が映し出される。すなわち、ＤＶＤ用レーザ光の非対応状態の光軸ずれ量が下記に詳述する算出方法にて算出され（Ｓ６）、モニタ上に映し出される。このようにして得られた非対応状態での光軸ずれ量から、メモリテーブルに基づき、実際の光軸ずれ量を得る（Ｓ７）。ここで、光軸ずれ量の算出方法、およびメモリテーブルに基づき、非対応状態の光軸ずれ量から実際の光軸ずれ量を算出する方法について、具体的な実施例に基づき説明する。
【００３６】
図７は、光ヘッド装置のＤＶＤ用レーザ光を、ＣＤ用疑似ディスクおよびＤＶＤ用疑似ディスクに出射したときの受光面７２における光軸ずれ量の相関関係を示したグラフである。ここで、図７におけるＰｘ（％）、Ｐｙ（％）とは、受光面７２におけるＸ軸、Ｙ軸方向の光軸ずれの割合である。光軸ずれ量の算出方法は、図８に示されるように、ＤＶＤ用受光部７２２（あるいはＣＤ用受光部７２１）を四分割し、この分割した範囲における戻り光のスポット位置ＳＰの面積（Ａ〜Ｄ）を用い、以下のように表される。
【００３７】
Ｐｘ＝（（（Ａ＋Ｄ）−（Ｂ＋Ｃ））／（Ａ＋Ｂ＋Ｃ＋Ｄ））×１００（％）
Ｐｙ＝（（（Ａ＋Ｂ）−（Ｃ＋Ｄ））／（Ａ＋Ｂ＋Ｃ＋Ｄ））×１００（％）
【００３８】
例えば、図９（ａ）のような状態では、Ｐｘ＝１００（％）、Ｐｙ＝０（％）となる。また、図９（ｂ）のような状態では、Ｐｘ＝０（％）、Ｐｙ＝−１００（％）となる。つまり、Ｐｘ値の絶対値が大きいほど、戻り光のスポット位置ＳＰのＸ軸方向への光軸ずれ量が大きく、Ｐｙ値の絶対値が大きいほど、戻り光のスポット位置ＳＰのＹ軸方向への光軸ずれ量が大きい。
【００３９】
光軸調整では、この図７のグラフに基づく相関関係を利用して、ＤＶＤ用レーザ光の実際の光軸ずれ量を求める。例えば、Ｓ６で得られたＤＶＤ用レーザ光の非対応状態の光軸ずれ量がＰｘ＝４０（％）、Ｐｙ＝６０（％）であった場合、実際の光軸ずれ量は、図７（ａ）のグラフよりＰｘ＝３２（％）、図７（ｂ）のグラフよりＰｙ＝−３１（％）であることが求められる。つまり、ＤＶＤ用レーザ光の光軸ずれ量が、ＤＶＤディスクを用いなくとも算出される。
【００４０】
このように、光軸調整装置１には、予め測定した図７のような光軸ずれ量の相関関係グラフに基づき求められた、非対応状態の光軸ずれ量と実際の光軸ずれ量の相関関係が保存されたメモリテーブルが備えられているため、このメモリテーブルにより、Ｓ６およびＳ７において、非対応状態の光軸ずれ量が実際の光軸ずれ量に変換されることとなる。このようにして変換された光軸ずれ量は、目標位置（ＤＶＤ受光部７２２の位置から、上記相関関係グラフに基づき算出した光軸ずれ量分移動した位置）として補正手段としての目標位置設定手段によりモニタ上に表示される。したがって、目標位置設定手段によってモニタ上に表示された目標位置に、非対応状態での戻り光ＬＲ２のスポット位置を合わせることで光軸調整を行うことができる。
【００４１】
また、本実施の形態では補正手段としてメモリテーブルを用いているが、メモリテーブルは必ずしも必要ではない。すなわち、メモリーテーブルを用いることなく、相関関係グラフに基づき求められた非対応状態の光軸ずれ量と実際の光軸ずれ量の差を予め算出しておき、このずれ量を考慮した目標位置を目標位置設定手段によりモニタ上に表示させてもよい。
【００４２】
そして、このようにして求められたＤＶＤ用レーザ光の光軸ずれがない（Ｐｘ＝０（％）、Ｐｙ＝０（％））場合（Ｓ８「ＮＯ」）には、ＣＤおよびＤＶＤの光軸ずれはないため、光軸調整は完了する（Ｓ１３）。なお、光軸調整が完了した際には、接着剤等により、レーザ光源５２および受光素子７０がフレーム８０に完全に固定される。
【００４３】
一方、求められたＤＶＤ用レーザ光の光軸ずれが生じている場合（Ｐｘ≠０（％）、Ｐｙ≠０（％））の場合（Ｓ８「ＹＥＳ」）には、メモリテーブルより算出した実際の光軸ずれ量に基づき、回転台１２を回転させたり、受光素子保持部２４をＸ、Ｙ軸方向に駆動させることで、ＤＶＤ用レーザ光の光軸調整を行う（Ｓ９）。
【００４４】
その後、ＤＶＤ用レーザ光を消灯（Ｓ１０）し、再度ＣＤ用レーザ光を出力（Ｓ１１）することで、ＣＤ用レーザ光の光軸ずれがないか確認作業を行う（Ｓ１２）。ここで、ＣＤ用レーザ光の光軸ずれがなければ（Ｓ１２「ＮＯ」）、光軸調整は完了する（Ｓ１３）。一方、再度ＣＤ用レーザ光の光軸ずれが生じてしまった場合（Ｓ１２「ＹＥＳ」）には、Ｓ３に戻り再度ＣＤおよびＤＶＤ用レーザ光の光軸調整を行う。なお、この確認作業は、一旦光軸調整したＣＤ用レーザ光に再び光軸ずれが生じていないかを見るためのものであり、必要がなければＤＶＤ用レーザ光の光軸調整（Ｓ９）後、光軸調整を終了してもよい。
【００４５】
なお、この光軸調整装置１においては、ＣＤ用疑似ディスクを搭載し、ＤＶＤ用レーザ光の光軸ずれを非対応状態の光軸ずれ量よりメモリテーブルに基づき算出するものであったが、その逆、つまり、ＤＶＤ用疑似ディスクを搭載し、ＣＤ用レーザ光の光軸ずれをメモリテーブルにより算出するものであってもよい。
【００４６】
（本実施形態の効果）
本実施形態に係る光軸調整装置によれば、ＣＤ用レーザ光あるいはＤＶＤ用レーザ光のうち、いずれか一方のレーザ光に対応した疑似ディスクのみが搭載されており、その搭載された疑似ディスクに非対応のレーザ光が照射されたときの光軸ずれ量（非対応状態の光軸ずれ量）を、対応した疑似ディスクに照射されたときの光軸ずれ量（実際の光軸ずれ量）に変換するためのメモリテーブルが設けられている。そのため、ＣＤ用疑似ディスクあるいはＤＶＤ用疑似ディスクのいずれか一方を搭載した一台の光軸調整装置で、ＣＤ、ＤＶＤ用レーザ光の両方の光軸調整が可能となる。
【００４７】
また、上記メモリテーブルは、非対応状態の光軸ずれ量と、実際の光軸ずれ量の差異分が保存されているものであるため、非対応状態の光軸ずれ量を実際の光軸ずれ量に変換する信号増幅回路を非常に簡単なものとすることができる。
【００４８】
以上、本発明の実施の形態について詳細に説明したが、本発明は上記実施の形態に何ら限定されるものではなく、本発明の要旨を逸脱しない範囲で種々の改変が可能である。
【００４９】
例えば、本実施形態に係る光軸調整装置は、ＣＤおよびＤＶＤの再生、記録の双方に対応した、いわゆるＣＤ／ＤＶＤデュアルライタードライブの光ヘッド装置に使用できるものであることを説明したが、再生、記録の対象となるディスクはＣＤあるいはＤＶＤに限られるものではない。
【００５０】
また、本実施形態に係る光軸調整装置により光軸調整される光ヘッド装置には、ＣＤ用レーザ光を出射する光源と、ＤＶＤ用レーザ光を出射する光源がそれぞれ独立して搭載されていたが、ＣＤ用とＤＶＤ用のレーザ光を出射する発光素子が一つにパッケージングされた、いわゆる二波長レーザ光源が搭載された光ヘッド装置であっても本発明の技術的思想は適用可能である。
【００５１】
さらに、本発明の技術的思想は、ＣＤあるいはＤＶＤの少なくとも一方に、トラッキングの安定性を高めることを目的とした、いわゆる「３ビーム法」を採用した光ヘッド装置であっても適用可能である。例えば、図１０に示すように、ＣＤ用受光部７２１がメインビームを受光するメイン受光部７２１ａ、および二つのサブ受光部７２１ｂ，７２１ｃとからなる受光素子７０ａを搭載した光ヘッド装置であっても、サブビームがないものとして本発明に係る光軸調整装置を適用すれば、メインビームと同時にサブビームの光軸調整も完了することとなる。  
【図面の簡単な説明】
【００５２】
【図１】本発明の実施形態に係る光軸調整装置の構成を説明するための概略図である。
【図２】光ヘッド装置の光学系を模式的に示した概略構成図である。
【図３】光ヘッド装置の外観斜視図である。
【図４】光ヘッド装置に搭載された受光素子の外観斜視図である。
【図５】図１に示した光軸調整装置を用いた光ヘッド装置の光軸調整方法を説明するためのフローチャートである。
【図６】ＣＤ用レーザ光の光軸調整を説明するための平面図である。
【図７】ある光ヘッド装置のＤＶＤ用レーザ光を、あるＣＤ用疑似ディスクおよびＤＶＤ用疑似ディスクに出射したときの受光面における光軸ずれ量の相関関係を示したグラフである。
【図８】受光素子の受光面における戻り光の光軸ずれ量の定義を説明するための概略図である。
【図９】図１１（ａ）は戻り光の光軸ずれ量がＰｘ＝０、Ｐｙ＝１００の時の平面図であり、図１１（ｂ）は戻り光の光軸ずれ量がＰｘ＝−１００、Ｐｙ＝０の時の平面図である。
【図１０】いわゆる「３ビーム法」を採用した光ヘッド装置の受光素子を受光面側から見た平面図である。
【符号の説明】
【００５３】
１                光軸調整装置
５０              光ヘッド装置
５２              レーザ光源
５２１            ＣＤ用レーザ光源
５２２            ＤＶＤ用レーザ光源
７０              受光素子
７２              受光面
７２１            ＣＤ用受光部
７２２            ＤＶＤ用受光部
Ｄ                ディスク
Ｋ                光学系
【図１】
2008293624.tif 000003
【図２】
2008293624.tif 000004
【図３】
2008293624.tif 000005
【図４】
2008293624.tif 000006
【図５】
2008293624.tif 000007
【図６】
2008293624.tif 000008
【図７】
2008293624.tif 000009
【図８】
2008293624.tif 000010
【図９】
2008293624.tif 000011
【図１０】
2008293624.tif 000012